(57)【特許請求の範囲】
【請求項１】
施設へ入場したことを示す入場情報が第１の色で印刷されるとともに前記施設を利用可能な利用情報を記憶するカードから前記利用情報を読取る読取手段と、
この読取手段で読取った利用情報が前記施設からの出場条件を満足するか否かを判定する判定手段と、
この判定手段による判定の結果、前記利用情報が前記出場条件を満足すると判定したとき、前記カードに前記第１の色とは異なる第２の色で前記施設からの出場を示す出場情報を印刷する印刷手段と
を備えたことを特徴とするカード処理装置。
【請求項２】
第１の温度に加熱されることにより第１の色に発色する第１の記録層と前記第１の温度とは異なる第２の温度に加熱されることにより第２の色に発色する第２の記録層とを有し施設へ入場したことを示す入場情報が前記第１の色で印刷されるとともに前記施設を利用可能な利用情報を記憶するカードから前記利用情報を読取る読取手段と、
この読取手段で読取った利用情報が前記施設からの出場条件を満足するか否かを判定する判定手段と、
この判定手段による判定の結果、前記利用情報が前記出場条件を満足すると判定したとき、前記施設からの出場を示す出場情報を印刷するために、前記カードを前記第２の温度に加熱する加熱手段と
を備えたことを特徴とするカード処理装置。
【請求項３】
施設へ入場したことを示す入場情報が第１の色で印刷されるとともに前記施設を利用可能な利用情報を記憶するカードから前記利用情報を読取る読取手段と、
この読取手段で読取った利用情報が前記施設からの出場条件を満足するか否かを判定する判定手段と、
この判定手段による判定の結果、前記利用情報が前記出場条件を満足すると判定したとき、前記カード上において出場に対応する前記入場情報上に前記第１の色とは異なる第２の色で前記施設からの出場を示す出場情報を印刷する印刷手段と
を備えたことを特徴とするカード処理装置。
【請求項４】
第１の温度に加熱されることにより第１の色に発色する第１の記録層と前記第１の温度とは異なる第２の温度に加熱されることにより第２の色に発色する第２の記録層とを有し施設へ入場したことを示す入場情報が前記第１の色で印刷されるとともに前記施設を利用可能な利用情報を記憶するカードから前記利用情報を読取る読取手段と、
この読取手段で読取った利用情報が前記施設からの出場条件を満足するか否かを判定する判定手段と、
この判定手段による判定の結果、前記利用情報が前記出場条件を満足すると判定したとき、前記施設からの出場を示す出場情報を対応する前記入場情報上に印刷するために、前記カード上において出場に対応する前記入場情報上を前記第２の温度に加熱する加熱手段と
を備えたことを特徴とするカード処理装置。
【請求項５】
施設を利用可能な利用情報を記憶するカードから前記利用情報を読取る第１の読取手段と、
この第１の読取手段で読取った利用情報が前記施設への入場条件を満足するか否かを判定する第１の判定手段と、
この第１の判定手段による判定の結果、前記利用情報が前記入場条件を満足すると判定したとき、前記カードに対し第１の色で前記施設への入場を示す入場情報を印刷する第１の印刷手段と、
前記カードに記憶された前記利用情報が前記施設への出場条件を満足するか否かを判定する第２の判定手段と、
この第２の判定手段による判定の結果、前記利用情報が前記出場条件を満足すると判定したとき、前記カードに対し第１の色とは異なる第２の色で前記施設からの出場を示す出場情報を印刷する第２の印刷手段と、
前記カードから前記入場情報若しくは出場情報を読取る第２の読取手段と、
この第２の読取手段による読取り結果に基づいて、前記入場情報若しくは前記出場情報が連続して印刷されたか否かを判定する第３の判断手段と、
この第３の判定手段による判定の結果、前記入場情報若しくは前記出場情報が連続して印刷されていると判定したとき、前記カードに対して前記第１及び第２の色とは異なる第３の色で前記入場情報若しくは前記出場情報を印刷する第３の印刷手段と
を備えたことを特徴とするカード処理装置。
【請求項６】
第１の温度に加熱されることにより第１の色に発色する第１の記録層と前記第１の温度とは異なる第２の温度に加熱されることにより第２の色に発色する第２の記録層と前記第１及び第２の温度とは異なる第３の温度に加熱されることにより第３の色に発色する第３の記録層を有し施設を利用可能な利用情報を記憶するカードから前記利用情報を読取る第１の読取手段と、
この第１の読取手段で読取った利用情報が前記施設への入場条件を満足するか否かを判定する第１の判定手段と、
この第１の判定手段による判定の結果、前記利用情報が前記入場条件を満足すると判定したとき、前記カードに対し第１の色で前記施設への入場を示す入場情報を印刷するために、前記カードを前記第１の温度に加熱する第１の加熱手段と、
前記カードに記憶された前記利用情報が前記施設への出場条件を満足するか否かを判定する第２の判定手段と、
この第２の判定手段による判定の結果、前記利用情報が前記出場条件を満足すると判定したとき、前記カードに対し第１の色とは異なる第２の色で前記施設からの出場を示す出場情報を印刷するために、前記カードを前記第２の温度に加熱する第２の加熱手段と、
前記カードから前記入場情報若しくは出場情報を読取る第２の読取手段と、
この第２の読取手段による読取り結果に基づいて、前記入場情報若しくは前記出場情報が連続して印刷されたか否かを判定する第３の判定手段と、
この第３の判定手段による判定の結果、前記入場情報若しくは前記出場情報が連続して印刷されていると判定したとき、前記カードに対して前記第１及び第２の色とは異なる第３の色で前記入場情報若しくは前記出場情報を印刷するために、前記カードを前記第３の温度に加熱する第３の加熱手段と
を備えたことを特徴とするカード処理装置。
【発明の詳細な説明】
【０００１】
【産業上の利用分野】
本発明はカード、乗車券若しくは定期券等に複数色の印刷を行うカード処理装置に関する。
【０００２】
【従来の技術】
鉄道などの駅務システムにおいて、改札業務の省力化を目的として、駅などの施設の入場口あるいは出場口等に設けられ、施設を利用する利用者が施設に入場あるいは出場する際または施設間を乗換える際、利用者が所持する乗車券を受入れて、乗車券の情報を判定し、適当な乗車券であれば利用者の通過を許可し、不適であれば利用者の通過を阻止する自動改札装置が導入されている。
【０００３】
この自動改札装置は、入場、出場あるいは乗換えの際に、利用者により投入された乗車券に磁気記録されている磁気情報（例えば、駅間を示す区間情報等）を読取り、この読取った情報に基づいて利用者の通過あるいは阻止を判定するものである。このような磁気式乗車券を用いた自動改札システムが普及している。
【０００４】
【発明が解決しようとする課題】
このような自動改札システムは鉄道施設への入場及び出場を示す入場及び出場情報を乗車券に磁気記録している。
しかしながら、入場及び出場情報を乗車券に磁気記録する方法であると、入場及び出場の状態をビジブルに示していないため、乗車券の印刷からではその乗車券が正しく入場時及び出場時に使用されているか否かが分からないという問題があった。
【０００５】
本発明は上記問題点に鑑みてなされたもので、カード、乗車券若しくは定期券に対して施設への入場及び施設からの出場を異なる色で印刷することにより、カード、乗車券若しくは定期券の利用状況を分かりやすく印刷することのできるカード処理装置を提供することにある。
【０００６】
また、カードに印刷された入場情報若しくは出場情報が連続して印刷されていると判定したときには、カードに対して第１若しくは第２の色で入場情報若しくは出場情報を印刷することにより、施設への入場、出場をカードに印刷するとともに、カードの使用が適切でないときには第３の色でカードに印刷することができ、施設に対する入場及び出場処理が正しく行われたことのビジブル化、さらに、不適切な利用であることもビジブル化することができるカード処理装置を提供することにある。
【０００７】
【課題を解決するための手段】
本発明は上記目的を達成するために、請求項１におけるカード処理装置は、施設へ入場したことを示す入場情報が第１の色で印刷されるとともに施設を利用可能な利用情報を記憶するカードから利用情報を読取る読取手段と、読取手段で読取った利用情報が施設からの出場条件を満足するか否かを判定する判定手段と、判定手段による判定の結果、利用情報が出場条件を満足すると判定したとき、カードに第１の色とは異なる第２の色で施設からの出場を示す出場情報を印刷する印刷手段とを備えたことを特徴とする。
【０００８】
また、請求項２におけるカード処理装置は、第１の温度に加熱されることにより第１の色に発色する第１の記録層と第１の温度とは異なる第２の温度に加熱されることにより第２の色に発色する第２の記録層とを有し施設へ入場したことを示す入場情報が第１の色で印刷されるとともに施設を利用可能な利用情報を記憶するカードから利用情報を読取る読取手段と、読取手段で読取った利用情報が施設からの出場条件を満足するか否かを判定する判定手段と、判定手段による判定の結果、利用情報が出場条件を満足すると判定したとき、施設からの出場を示す出場情報を印刷するために、カードを第２の温度に加熱する加熱手段とを備えたことを特徴とする。
【０００９】
また、請求項３におけるカード処理装置は、施設へ入場したことを示す入場情報が第１の色で印刷されるとともに施設を利用可能な利用情報を記憶するカードから利用情報を読取る読取手段と、読取手段で読取った利用情報が施設からの出場条件を満足するか否かを判定する判定手段と、判定手段による判定の結果、利用情報が出場条件を満足すると判定したとき、カード上において出場に対応する入場情報上に第１の色とは異なる第２の色で施設からの出場を示す出場情報を印刷する印刷手段とを備えたことを特徴とする。
【００１０】
また、請求項４におけるカード処理装置は、第１の温度に加熱されることにより第１の色に発色する第１の記録層と第１の温度とは異なる第２の温度に加熱されることにより第２の色に発色する第２の記録層とを有し施設へ入場したことを示す入場情報が第１の色で印刷されるとともに施設を利用可能な利用情報を記憶するカードから利用情報を読取る読取手段と、読取手段で読取った利用情報が施設からの出場条件を満足するか否かを判定する判定手段と、判定手段による判定の結果、利用情報が出場条件を満足すると判定したとき、施設からの出場を示す出場情報を対応する入場情報上に印刷するために、カード上において出場に対応する入場情報上を第２の温度に加熱する加熱手段とを備えたことを特徴とする。
【００１１】
また、請求項５におけるカード処理装置は、施設を利用可能な利用情報を記憶するカードから利用情報を読取る第１の読取手段と、第１の読取手段で読取った利用情報が施設への入場条件を満足するか否かを判定する第１の判定手段と、第１の判定手段による判定の結果、利用情報が入場条件を満足すると判定したとき、カードに対し第１の色で施設への入場を示す入場情報を印刷する第１の印刷手段と、カードに記憶された利用情報が施設への出場条件を満足するか否かを判定する第２の判定手段と、第２の判定手段による判定の結果、利用情報が出場条件を満足すると判定したとき、カードに対し第１の色とは異なる第２の色で施設からの出場を示す出場情報を印刷する第２の印刷手段と、カードから入場情報若しくは出場情報を読取る第２の読取手段と、第２の読取手段による読取り結果に基づいて、入場情報若しくは出場情報が連続して印刷されたか否かを判定する第３の判断手段と、第３の判定手段による判定の結果、入場情報若しくは出場情報が連続して印刷されていると判定したとき、カードに対して第１及び第２の色とは異なる第３の色で入場情報若しくは出場情報を印刷する第３の印刷手段とを備えたことを特徴とする。
【００１２】
また、請求項６におけるカード処理装置は、第１の温度に加熱されることにより第１の色に発色する第１の記録層と第１の温度とは異なる第２の温度に加熱されることにより第２の色に発色する第２の記録層と第１及び第２の温度とは異なる第３の温度に加熱されることにより第３の色に発色する第３の記録層を有し施設を利用可能な利用情報を記憶するカードから利用情報を読取る第１の読取手段と、第１の読取手段で読取った利用情報が施設への入場条件を満足するか否かを判定する第１の判定手段と、第１の判定手段による判定の結果、利用情報が入場条件を満足すると判定したとき、カードに対し第１の色で施設への入場を示す入場情報を印刷するために、カードを第１の温度に加熱する第１の加熱手段と、カードに記憶された利用情報が施設への出場条件を満足するか否かを判定する第２の判定手段と、第２の判定手段による判定の結果、利用情報が出場条件を満足すると判定したとき、カードに対し第１の色とは異なる第２の色で施設からの出場を示す出場情報を印刷するために、カードを第２の温度に加熱する第２の加熱手段と、カードから入場情報若しくは出場情報を読取る第２の読取手段と、第２の読取手段による読取り結果に基づいて、入場情報若しくは出場情報が連続して印刷されたか否かを判定する第３の判定手段と、第３の判定手段による判定の結果、入場情報若しくは出場情報が連続して印刷されていると判定したとき、カードに対して第１及び第２の色とは異なる第３の色で入場情報若しくは出場情報を印刷するために、カードを第３の温度に加熱する第３の加熱手段とを備えた。
【００１３】
【作用】
本発明のカード処理装置は、施設へ入場したことを示す入場情報が第１の色で印刷されるとともに施設を利用可能な利用情報を記憶するカードから利用情報を読取り、読取った利用情報が施設からの出場条件を満足するか否かを判定し、この判定の結果、利用情報が出場条件を満足すると判定したときには、カードに第１の色とは異なる第２の色で施設からの出場を示す出場情報を印刷することにより、施設に対する入場及び出場処理が正しく行われたことをビジブルに表すことができる。
【００１４】
また、本発明のカード処理装置は、施設を利用可能な利用情報を記憶するカードから利用情報を読取り、読取った利用情報が施設への入場条件を満足するか否かを判定し、判定の結果、利用情報が入場条件を満足すると判定したときには、カードに対し第１の色で施設への入場を示す入場情報を印刷し、また、利用情報が施設への出場条件を満足するか否かを判定し、判定の結果、利用情報が出場条件を満足すると判定したときには、カードに対し第１の色とは異なる第２の色で施設からの出場を示す出場情報を印刷する。さらに、カードから入場情報若しくは出場情報を読取り、読取り結果に基づいて、入場情報若しくは出場情報が連続して印刷されたか否かを判定し、判定の結果、入場情報若しくは出場情報が連続して印刷されていると判定したときには、カードに対して第１及び第２の色とは異なる第３の色で入場情報若しくは出場情報を印刷することにより、カードの使用が適切でないときに第３の色でカードに印刷することができ、不適切な利用であることをビジブル化することができる。
【００１５】
【実施例】
以下、図面を参照しながら、本発明のカード処理装置の一実施例に係る自動改札装置について説明する。
図１は、自動改札装置の外観構成を概略的に示すもので、すなわち、入場若しくは出場業務を行う自動改札装置本体１からなる。この本体１は、駅等の施設の改札口内、つまり、構内に対して入場時及び出場時に、施設を利用可能な期間を示す有効期間及び施設を利用可能な区間、すなわち、所定駅間を利用可能であることを示す区間情報を記憶する乗車券、定期券、回数券もしくは施設を利用可能な金額を記憶するストアードフェアカード等（以下、単に乗車券２）が投入される投入口３、この投入口３に投入された乗車券を排出する排出口４とを備えている。また、自動改札装置の利用者に対して乗車券及び定期券等の有効／無効、ストアードフェアカードの利用金額と残金額を表示する表示部５を備えている。
【００１６】
自動改札装置本体１の側面部には閉じることにより乗車券２の投入者（利用者）の通過を阻止するためのドア部９を有している。また、その上部には自動改札装置本体１に対応する通路を区別するための仕切部１１を有し、自動改札装置本体１の側面部及び仕切部１１には利用者の通過を検知する人間検知器１０が設けられている。
【００１７】
人間検知器１０は、利用者の通過を検知するもので、検知器としては透過型、反射型のものが用いられるようになっている。但し、透過型の場合には、対向する別の自動改札装置と組合せて、その間に利用者が存在するか否かを検知する構成となる。
【００１８】
自動改札装置内部には、上述した投入口３と排出口４との間に、乗車券を搬送する搬送部が設けられており、この搬送部には搬送経路に沿い、乗車券を整列する整列部、乗車券の通過を検知する検知器１２、後述する磁気情報読取部（磁気ヘッド：読取りヘッド）１４、１５、乗車券の通過を検知する検知器１３、磁気情報記録部（磁気ヘッド：書込みヘッド）１６、１７、乗車券の通過を検知する検知器２３、磁気情報読取部（磁気ヘッド：ベリファイヘッド）１８、１９、乗車券の通過を検知する検知器２４及びサーマルヘッド２０が順に設けられている。
【００１９】
次に、図２のブロック構成図を参照しながら、自動改札装置の制御系統について説明する。
自動改札装置の制御系統は、自動改札装置全体を制御するセントラル・プロセッシング・ユニット（以下、ＣＰＵ）３０、ＣＰＵ３０の制御プログラムを記憶しているリード・オンリー・メモリ（以下、ＲＯＭ）３１、乗車券２から読取った利用情報としての有効期間及び有効区間情報を記憶するとともに制御プログラムのバッファとして情報を記憶するランダム・アクセス・メモリ（以下、ＲＡＭ）３２、乗車券やプリペイドカードの使用が開始された入場駅（あるいは入場駅を識別できる入場駅コード）から自動改札装置が設置された駅までに対応した運賃情報を記憶している運賃メモリ３３、読取りヘッド１４、１５を制御する読取回路３４、書込みヘッド１６、１７を制御する書込回路３５、読取りヘッド１８、１９を制御する読取回路３６、検知器１２、１３、２３、２４の出力により乗車券２の搬送状態を検知する乗車券検知回路５９、乗車券２を搬送経路に沿い搬送させる搬送モータ４０を制御する搬送制御回路４１、人間検知器１０の出力により乗車券２の投入者の通過を検知する通過検知回路４２、ドア部９を駆動するドア開閉機構４３を制御するドア制御回路４４、自動改札装置からの乗車券情報を受信するとともに自動改札装置の動作を制御する制御盤あるいはホストコンピュータ等との間で情報の伝送を行う伝送制御回路４５、乗車券２に印刷するサーマルヘッド２０の印刷制御を行う印刷制御部２１、当日の日付及び当該自動改札装置の設置駅を示す情報を記憶する期間・区間メモリ４６及び期間・区間メモリ４６の内容を用いて乗車券の有効期間及び区間が有効であるか（乗車券の有効期間内に当日の日付が含まれているとき、かつ、乗車券の有効区間内に当該自動改札装置の設置駅が含まれているときに乗車券等は有効であると判定する）否かを判定する期間・区間判定部４７等から構成されている。
【００２０】
ところで、乗車券２は３色に発色することができるように、図３に示すように、発色層を３層備えている。
図３は乗車券２の断面を示すもので、紙若しくはプラスチック等からなる基板５１、基板５１の一面に設けられ模様、文字等が印刷される表面印刷層５２、基板５１の他面に積層された磁気情報を記憶する磁気記録層５３、磁気記録層５３上に積層され第１の温度Ｔ１で黒色に発色する黒色発色層５４、黒色発色層５４上表面に積層され第１の温度Ｔ１よりも高温の第２の温度Ｔ２で青色に発色する青色発色層５５、青色発色層５４上表面に積層され第２の温度Ｔ２よりも高温の第３の温度Ｔ３で赤色に発色する赤色発色層５６を備えている。
【００２１】
そして、図４に示すように、各発色層、黒色発色層５４、青色発色層５５及び赤色発色層５６はそれぞれ異なる温度領域で発色する。
印刷制御回路２１は、ＣＰＵ３０から出力される印刷信号に基づいて、赤色発色層５６を発色させる場合には青色発色層５５を発色させる場合よりもパルス幅の長いパルスを、青色発色層５５を発色させる場合には黒色発色層５４を発色させる場合よりもパルス幅の長いパルスをサーマルヘッドに出力する。
【００２２】
つまり、赤色発色層５６を発色させるときの印刷パルスは、図５（Ａ）に示す、パルス幅Ｗ１を有し、青色発色層５５を発色させる場合の印刷パルスは、図５（Ｂ）に示す、パルス幅Ｗ２を有し、また、黒色発色層５４を発色させる場合の印刷パルスは、図５（Ｃ）に示す、パルス幅Ｗ３を有している。なお、ここで、Ｗ１＞Ｗ２＞Ｗ３である。
【００２３】
次に、上記ように構成された本発明の一実施例の動作について、図６のフローチャートを参照しながら説明する。
まず、利用者により乗車券２が投入口３に投入される（ステップＳ１）と、検知器１２から乗車券２の検知信号がＣＰＵ３０に出力される。これにより、ＣＰＵ３０は乗車券２の投入を判断し、乗車券２を搬送する搬送ベルトを駆動する搬送モータ４０を駆動する。これにより、乗車券２は投入口３から取込まれ、券の搬送路に沿い搬送される。
【００２４】
そして、投入口３で取込まれ搬送される乗車券２は、整位部で整位された後、読取ヘッド１４、１５に到達する。読取ヘッド１４、１５では、乗車券２に磁気エンコードされている磁気記録情報を読取り、ＣＰＵ３０に出力する（ステップＳ２）。
【００２５】
次に、ＣＰＵ３０は期間・区間判定部４７で、磁気エンコードされている磁気記録情報に基づいて、その情報内容が期間・区間の条件を満たしているか否かを判定する（ステップＳ３）。
【００２６】
このステップＳ３の判定で「ＮＯ」、つまり、条件を満たしていないときにはドア制御回路４４を駆動してドアを閉じるとともにチャイム鳴動を行う（ステップＳ４）。
【００２７】
また、ステップＳ３の判定で「ＹＥＳ」のときは、入場条件若しくは出場条件を満たしていると判定し、入場若しくは出場を示す磁気情報を乗車券２に書込む（ステップＳ５）。
【００２８】
ステップＳ５において、磁気情報が書込まれた乗車券２はサーマルヘッド２０へ搬送される。このときＣＰＵ３０は入場若しくは出場のいずれか一方が連続して行われたか（例えば、入場処理が連続して１０回行われた等）否かを判定する（ステップＳ６）。
【００２９】
ステップＳ６において、「ＹＥＳ」のときには、パルス幅Ｗ１でサーマルヘッド２０を駆動し、乗車券２に対して赤色印刷を行う。なお、このとき、入場処理であれば日付を赤色印刷する（ステップＳ７）。
【００３０】
また、ステップＳ６において、「ＮＯ」のときには、ここで装置は集札処理（出場処理）であるか否かの判定を行い（ステップＳ８）、「ＹＥＳ」であればパルス幅Ｗ２でサーマルヘッド２０を駆動し、乗車券２に対して出場マーク「Ｘ」を青色印刷する（ステップＳ９）。なお、出場マーク「Ｘ」は入場印刷領域（この出場に対応する入場時に日付が印刷された領域）上に重ねて印刷する。
【００３１】
ステップＳ８において、「ＮＯ」であれば、パルス幅Ｗ３でサーマルヘッド２０を駆動し、乗車券２に対して黒色印刷を行う。なお、このときは当日の日付を印刷する（ステップＳ１０）。
【００３２】
印列処理された乗車券２は排出口４から排出される（ステップＳ１１）。
図７に印刷処理された乗車券２を示す。
この乗車券２において、マーク２０１は「１日」に入場処理（「１日」の黒色印刷）が行われるとともに、出場処理（「×」の青色印刷）が行われていることを示す。また、以下同様に、「２日」「３日」「４日」「５日」「８日」「９日」の各日においても入場処理及び出場処理が行われている。
【００３３】
しかしながら、「１０日」「１１日」「１２日」「１５日」「１６日」「１７日」「１８日」「１９日」「２２日」「２３日」「２４日」の各日は入場処理のみが行われており、さらに、「２３日」「２４日」は赤色印刷されている。
【００３４】
つまり、これら印刷により、乗車券２は「１日」から「９日」までは正常に使用されているが、「１０日」以降は入場のみが行われており、出場時に他の券で出場した、言い換えれば不正乗車（キセル乗車）した可能性が高いと判断できる。  本発明のカード処理装置によれば、カード、乗車券若しくは定期券に対して施設への入場及び施設からの出場を異なる色で印刷することにより、カード、乗車券若しくは定期券の利用状況を分かりやすく印刷することができる。
【００３５】
また、カードに印刷された入場情報若しくは出場情報が連続して印刷されていると判定したときには、カードに対して第１の色（黒色）若しくは第２の色（青色）で入場情報若しくは出場情報を印刷することにより、施設への入場、出場をカードに印刷するとともに、カードの使用が適切でないときには第３の色（赤色）でカードに印刷することができ、施設に対する入場及び出場処理が正しく行われたことのビジブル化、さらに、不適切な利用であることもビジブル化することができる。
【００３６】
【発明の効果】
本発明のカード処理装置によれば、カード、乗車券若しくは定期券に対して施設への入場及び施設からの出場を異なる色で印刷することにより、カード、乗車券若しくは定期券の利用状況を分かりやすく印刷することができる。
【図面の簡単な説明】
【図１】自動改札機の外観構成の概略図である。
【図２】自動改札機の制御系統を示すブロック図である。
【図３】乗車券の断面図である。
【図４】乗車券の発色温度を示すグラフである。
【図５】印字制御信号を示す波形図である。
【図６】自動改札機のフローチャートである。
【図７】乗車券の印刷例を示す図である。
【符号の説明】
３０…ＣＰＵ、３１…ＲＯＭ、３２…ＲＡＭ、３３…運賃メモリ、１４、１５、１８、１９…読取りヘッド、１６、１７…書込みヘッド、３４、３６…読取回路、３５…書込回路、４１…搬送制御回路、２０…サーマルヘッド、２１…印刷制御部、４６…期間・区間メモリ、４７…期間・区間判定部
【図１】
0003544017.tif 000002
【図２】
0003544017.tif 000003
【図３】
0003544017.tif 000004
【図４】
0003544017.tif 000005
【図５】
0003544017.tif 000006
【図６】
0003544017.tif 000007
【図７】
0003544017.tif 000008